【事件の表示】
　特許第３２４０４０７号「健康管理指針アドバイス装置」の請求項１ないし６に係る特許に対する特許異議の申立てについて、次のとおり決定する。
【結　論】
　特許第３２４０４０７号の請求項１ないし６に係る特許を取り消す。
【理　由】
１．手続の経緯
　本件特許第３２４０４０７号発明は、平成９年１０月２０日の出願であって、平成１３年１０月１９日に設定登録がなされ、その後、山本尚平より請求項１ないし６に対して特許異議の申立がなされ、取消理由通知がなされたものである。
　
２．本件発明
　本件発明は、特許明細書及び図面の記載からみて、その特許請求の範囲に記載された事項によって特定されるとおりのものであるところ、そのうち請求項１ないし６に係る発明は、請求項１ないし６に記載された次の事項によって特定されるとおりのものである。
「【請求項１】　身体に電流を印加してインピーダンスを計測するインピーダンス計測手段と、体重を計測するための体重計測手段と、を備え、前記インピーダンス計測手段は、少なくともいずれか一方の手で保持する保持部に設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する健康管理指針アドバイス装置において、前記保持部を保持しているか否かを検出し、該検出結果に基づいて前記体重計測手段の計測値を補正することを特徴とする健康管理指針アドバイス装置。
　【請求項２】　前記インピーダンス計測手段によるインピーダンス計測値に基づいて、前記保持部を保持しているか否かを検出することを特徴とする請求項１記載の健康管理指針アドバイス装置。
　【請求項３】　身体に電流を印加してインピーダンスを計測するインピーダンス計測手段と、体重を計測するための体重計測手段と、を備え、前記インピーダンス計測手段は、少なくともいずれか一方の手を載置する載置部に設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する健康管理指針アドバイス装置において、前記載置部に手を載置しているか否かを検出し、該検出結果に基づいて前記体重計測手段の計測値を補正することを特徴とする健康管理指針アドバイス装置。
　【請求項４】　前記インピーダンス計測手段によるインピーダンス計測値に基づいて、前記載置部に手を載置しているか否かを検出することを特徴とする請求項３記載の健康管理指針アドバイス装置。
　【請求項５】　身体に電流を印加してインピーダンスを計測するインピーダンス計測手段と、体重を計測するための体重計測手段と、を備え、前記インピーダンス計測手段によるインピーダンス計測値と、前記体重計測手段による体重計測値とに基づいて健康管理に有益な指針情報を提供する健康管理指針アドバイス装置において、該健康管理指針アドバイス装置は、被検者がその上に載って体重計測を行う基台部と、該基台部から独立したユニットとからなり、前記インピーダンス計測手段を構成する電極の少なくとも一つが前記ユニットに設けられ、前記ユニットと被検者との接触の有無に基づいて、前記体重計測手段による体重計測値から前記ユニットによる影響を補正することを特徴とする健康管理指針アドバイス装置。
　【請求項６】　前記基台部と前記ユニットとを接続し信号の伝送を行う無線通信手段を備えたことを特徴とする請求項５記載の健康管理指針アドバイス装置。」
　
３．引用刊行物
　先の取消理由通知において引用した
１．刊行物１：特開平７−７９９３８号公報　（申立人の提出した甲第１号証）
２．刊行物２：特開昭６４−６８２８号公報　（　同　甲第２号証）
３．刊行物３：特開平７−５１２４２号公報　（　同　甲第３号証）
４．刊行物４：特開平７−１２６３５号公報　（　同　甲第６号証）
５．刊行物５：特開平４−２１８７２９号公報（　同　甲第７号証）
には、それぞれ以下の事項が記載されている。
　
(１）刊行物１：特開平７−７９９３８号公報
(１ａ）「図１は、この発明の一実施例を示す健康管理指針アドバイス装置の外観斜視図である。この実施例装置は、本体装置１０と、フット電極部５０と、これら本体装置１０とフット電極部５０を接続するケーブル５１とから構成されている。【００１２】本体装置１０は、本体部１１と、この本体部１１の左右両端部に、一体的に構成される左手用グリップ部（握部）１２と、右手用グリップ部（握部）１３とから構成されている。また本体部１１の前面には、電源スイッチ１４、スタート指示や被検者の身体的特徴である身長、体重等を入力するためのキースイッチ１５、さらに測定結果やアドバイス情報を表示するための表示部１６が設けられている。この表示部１６は、左手用グリップ部１２と右手用グリップ１３との間のほぼ中央になるように配置されている。」（第３頁第４欄第４１行〜第４頁第５欄第５行）、
(１ｂ）「【００１３】左手用グリップ部１２、右手用グリップ部１３とも、垂直のほぼ円柱状であり、それぞれの表面には高周波信号印加用の電極１７、１８と、抵抗電位計測用の電極１９、２０が設けられている。これら電極１７、１８及び電極１９、２０は、図１に図示していないが、本体部１１内の回路部と電気的に接続されている。　フット電極部５０は、略長方形平板状のシート材部５２上に、左足用の位置決め部５３と右足用の位置決め部５４が配置され、さらに両足位置決め部５３、５４には、それぞれ高周波信号印加用の電極５５、５６と、抵抗電位計測用電極５７、５８が設けられている。」（第４頁第５欄第６〜１６行）、
(１ｃ）「この実施例装置を用いて、被検者の生体インピーダンスを測定する場合は、図２に示すように、被検者Ａが、自分の両足をフット電極部５０の足位置決め部５３、５４に載置するとともに、本体装置１０のグリップ部１２を左手で、グリップ部１３を右手で握り、両手を前方に水平に上げ、本体装置１０を肩の高さに保持した状態で測定を開始する。」（第４頁第５欄第４０〜４６行）、
(１ｄ）「インピーダンスの測定処理演算や、健康管理指針アドバイス情報を抽出する処理を実行するＣＰＵ２８と、」（第４頁第６欄第１０〜１２行）、
(１ｅ）「体重は、図６に示すように、シート状のフット電極部５０を、家庭用の体重計６８に載せ、その状態でフット電極部５０の上に、被検者が乗って、体重計６８で測定し、その時、測定した体重値を入力してもよい。」（第４頁第６欄第３３〜３７行）、
(１ｆ）「【００２０】次に、左手−左足間インピーダンス測定モードに設定されると、ＣＰＵ２８からの切替コントロール信号により、電極信号切替部３２ａは、図７に示すように、切替接続される。つまり、左手の高周波信号印加用電極１７の接続線Ｉh1が、高周波信号発生部２１ａの一端に接続され、左足の高周波信号印加用電極５５の接続線Ｉf1が高周波信号発生部２１ａの他端に接続される。また、左手の抵抗電位計測用電極１９の接続線Ｅh1と左足の抵抗電位計測用電極５６の接続線Ｅf1が、差動増幅部２２の入力の一端と他端に接続される。」（第５頁第７欄第２１〜３０行）、
(１ｇ）「【００４８】次に、メモリエリアから、第１の周波数で測定した手−足間インピーダンスの平均値Ｚ1 を読み出し（ＳＴ３８）、身体特定化情報とＺ1 を体脂肪率％Ｆａｔの推定式に代入し、％Ｆａｔを算出する（ＳＴ３９）。さらに体脂肪量ＢＦＭをＢＦＭ＝Ｗ×％Ｆａｔ／１００（ただしＷ：体重）より算出し（ＳＴ４０）、皮下脂肪量ＶＦＭをＶＦＭ＝ＢＦＭ−ＳＦＭで算出し、皮下／内臓脂肪比Ｖ／Ｓ＝＝ＶＦＭ／ＳＦＭで求める（ＳＴ４１）。【００４９】続いてＶ／Ｓが０．５より小さいか否か判定し（ＳＴ４２）、小さければ内臓脂肪型と判定し（ＳＴ４２）、Ｖ／Ｓが０．５を超えている場合は、皮下脂肪型と判定し（ＳＴ４３）、最後に測定・演算終了を表示部１６、ブザー２９等で報知し（ＳＴ４５）、演算結果、アドバイス結果を表示部１６に表示し、また通信機能を有する手段を介して、外部に出力処理する（ＳＴ４６）。」（第８頁第１３欄第３７行〜第１４欄第３行）、
が、それぞれ図面と共に記載されている。
(１ｈ）さらに、上記(１ｅ）の記載から、シート状のフット電極部を家庭用の体重計に載せたものを考えると、体重計測値の健康管理指針アドバイス装置への入力の方法を別にすると、前記フット電極部と家庭用の体重計とは一体となって、被検者がその上に載って体重を計測するための体重計測手段を有する基台部を構成している。
　これらの記載から刊行物１には
「身体に電流を印加してインピーダンスを計測するインピーダンス計測手段と、体重を計測するための体重計測手段と、を備え、前記インピーダンス計測手段は、少なくともいずれか一方の手で保持するグリッップ部（握部）に設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する健康管理指針アドバイス装置。」（以下、これを「引用発明１」という。）、および
「身体に電流を印加してインピーダンスを計測するインピーダンス計測手段と、体重を計測するための体重計測手段と、を備え、前記インピーダンス計測手段によるインピーダンス計測値と、前記体重計測手段による体重計測値とに基づいて健康管理に有益な指針情報を提供する健康管理指針アドバイス装置において、該健康管理指針アドバイス装置は、被検者がその上に載って体重計測を行う基台部と、該基台部から独立した本体装置とからなり、前記インピーダンス計測手段を構成する電極の少なくとも一つが前記本体装置に設けられている健康管理指針アドバイス装置。」（以下、これを「引用発明２」という。）
が記載されているものと認められる。
　
(２）刊行物２：特開昭６４−６８２８号公報
(２ａ）「本発明に係る体重計は体重測定本体１と表示体２よりなるもので、体重測定本体１は従来のものと同様にその上面に人が載るための人載台３があり、人載台３上の重量を感知し、重量に対応した信号を発する測定部と、前記重量に比例したアナログ信号をデジタル信号に変換するＡ／Ｄ変換部と、前記デジタル信号を送信信号化するためのシリアル信号変換部と、本体１の上面側に配設して前記シリアル信号と対応する超音波、赤外線等の信号を発する送信部４からなるもので、体重測定のため被計測者が本体１の人載台３上に載るとその体重値が信号となって発信せられることになるものである。また一方表示体２はハンディータイプの大きさとし、その表面に液晶表示器５及び操作用スイッチ６を設け、底面側の前記本体１からの信号を受けて中央処理部ＣＰＵに測定データを送る受信部７を設けてなり、内部には中央処理部ＣＰＵからのデータを保持したり、中央処理部ＣＰＵの動作プログラムを保有するメモリ部、前記受信部７及びメモリ部更にスイッチ操作部からの入力を受け所定の表示を行うように表示部へ指示を行なう中央処理部ＣＰＵ、前記液晶表示器５とその駆動回路部からなる表示部を備えてなるもので、前記の本体１からの信号を受信部で受け、操作スイッチ６によって指示される所定のプログラムに従って処理された数値等が表示器５に表示されるものである。」（第２頁左上欄第１９行〜左下欄第３行）、
(２ｂ）「表示器に測定数値の表示を行うと共に、予め記憶させておいた標準データとの比較表示（肥満度表示）や、過去の測定データとの比較数値の表示等が自動的に操作スイッチの指示で表示されるようにしておくものである。」（第２頁左下欄第１３〜１８行）、
(２ｃ）「従って表示体２を手で持ったり（勿論その場合の重量は表示体重量分も考慮し、それを差し引いたものが表示される）或いは壁面等に掛止した状態で体重測定を行うものである」（第２頁左下欄第１９〜２２行）、
が、それぞれ図面と共に記載されている。
　これらの記載から刊行物２には「表示体を手でもって体重を測定した場合には、表示体の重量分を補正する」旨の技術的事項、および「表示体と体重測定本体との間で無線で信号を送受する」旨の技術的事項が記載されているものと認められる。
　
(３）刊行物３：特開平７−５１２４２号公報
(３ａ）「図１は、この発明の一実施例を示す携帯用の健康管理指針アドバイス装置の外観斜視図である。この実施例装置は、本体部１１と、この本体部１１の左右両端部に、本体部１１に一体的に構成される左手用グリップ部（握部）１２と、右手用グリップ部（握部）１３とから構成されている。また本体部１１の前面には、電源スイッチ１４、スタート指示や被検者の身体的特徴である身長、体重等を入力するためのキースイッチ１５、さらに測定結果やアドバイス情報を表示するための表示部１６が設けられている。この表示部１６は、左手用グリップ部１２と右手用グリップ部１３との間のほぼ中央になるように配置されている。」（第３頁第３欄第２６〜３８行）、
(３ｂ）「【００１０】左手用グリップ部１２、右手用グリップ部１３とも、垂直のほぼ円柱状であり、それぞれの表面には高周波信号印加用の電極１７、１８と、抵抗電位計測用の電極１９、２０が設けられている。」（第３頁第３欄第３９〜４２行）、
(３ｃ）「実施例装置の内部回路は、周波数ｆ０ の定電流高周波信号を発生する高周波信号発生部２１（１０≦ｆ０ ≦１００ＫＨＺ）と、電極１９、２０からの電位信号を受ける差動増幅器２２と、周波数ｆ０ 以外の信号をカットするためのバンドパスフィルタ２３と、高周波信号成分を復調する復調回路２４と、アナログ信号をデジタル信号に変換するＡ／Ｄ変換器２５と、ＲＯＭ２６と、ＲＡＭ２７と、Ａ／Ｄ変換器２５からの入力やデータ入力部１５からの身長、体重、年令、性別、日時等のデータを取込み、インピーダンスの測定処理演算や、健康管理指針アドバイス情報を抽出する処理を実行するＣＰＵ２８、警告を行うためのブザー２９、測定結果を例えば、プリンタ等へ通信で出力する測定結果出力部３０、電源用の電池８等を備えている。」（第３頁第４欄第１６〜２９行）、
(３ｄ）「【００１５】インピーダンスが測定されると、その両手間インピーダンス測定値が正常範囲で安定しているか、どうかを確認し（ＳＴ７、ＳＴ８）、安定していない場合は、表示部１６で“グリップをしっかり握って下さい”の表示をするとともに、ブザー２９を動作させてその旨を報知する（ＳＴ９）。ＳＴ８において、正常で安定している場合には、測定処理及び、体脂肪の変換演算を実行し（ＳＴ１０）、測定終了を表示部１６、ブザー２９で報知する（ＳＴ１１）とともに、その後測定結果を表示部１６に表示し、必要に応じ、指針アドバイス情報も表示する（ＳＴ１２）。」（第４頁第５欄第７〜１７行）、
(３ｅ）「【００２４】上記各実施例装置では、グリップ部を確実に握っている状態で、インピーダンス測定を行うことが望ましい。したがって、より精度の高い測定を行うには、グリップ部が握れた状態、つまり掌が電極に接触したことを検出して、その検出出力に応答して測定を開始すればよい。」（第５頁第７欄第１０〜１５行）、
(３ｆ）「００２６】図２０は、この発明の他の実施例健康管理指針アドバイス装置の一部省略回路構成を示すブロック図である。この回路は、グリップ部１２、１３に配置した複数電極１７、１８、１９、２０の接続、あるいは接続信号線Ｉ１ 、Ｉ２ 、Ｅ１ 、Ｅ２ を、電極信号切替部４９で切替えることができ、この切替により、左手と右手の掌のインピーダンスを測定し、握力、つまり接触の有無を計測することができる。なお電極信号切替部４９の切替は、ＣＰＵ２８からの切替コントロール信号により行う。」（第５頁第７欄第４０〜４９行）、
(３ｇ）「この処理は、ＣＰＵ２８より、切替コントロール信号を電極信号切替部４９に送り、電極信号切替部４９を、図２１に示す接続に切替える。この接続は、右掌側の電極１８、２０をＯＰＥＮにし、左掌側の電極１７、１９に信号発生部２１からの信号が印加されるように接続するとともに、電極１７、１９を差動増幅器２２の入力に接続するものであり、電極１７、１９間及び左掌を通して流れる電流と、両電極間の電位差により、左掌と電極１７、１９の接触抵抗を計測する。」（第５頁第８欄第９〜１８行）、
(３ｈ）「【００２８】左掌の接触抵抗が求まると、次に右掌の接触抵抗の測定に移る（ＳＴ２５）。この処理も、ＣＰＵ２８からの切替コントロール信号を電極信号切替部４９に送ることによりなされる。このステップにおける切替処理により、電極信号切替部４９の接続は、図２２に示すものとなる。この接続は、図２１とは逆に、左掌側の電極１７、１９をＯＰＥＮにし、右掌側の電極１８、２０に信号発生部２１からの信号が印加されるように接続するとともに、電極１８、２０を差動増幅器２２の入力に接続する。これにより、左掌の場合と同様にして、右掌の接触抵抗が測定される。」（第５頁第８欄第１９〜２９行）、
(３ｉ）「【００２９】次に、測定した両掌の抵抗値が、規定値以下か否か判別し（ＳＴ２６）、規定値以下でなければ、被検者のグリップ部１２、１３の握力が、なお不十分であるとして“グリップ部を正確に握って下さい”の表示を表示部１６に表示して（ＳＴ２７）、ＳＴ２４に戻り、ＳＴ２４〜ＳＴ２７の処理を繰り返す。ＳＴ２６で両掌の抵抗値が規定値以下である場合には、グリップが正常に握られているものとして、測定開始を表示部に表示し（ＳＴ２８）、後はＳＴ２９〜ＳＴ３１で、図７のＳＴ１０〜ＳＴ１２と同様の処理を行う。」（第５頁第８欄第３０〜３９行）、
がそれぞれ図面と共に記載されている。
　これらの記載から刊行物３には「身体に電流を印加してインピーダンスを計測するインピーダンス計測手段を備え、前記インピーダンス計測手段は、左右の手でそれぞれ保持するグリップ部（握部）に設けられた電極を有し、前記インピーダンス計測手段によるインピーダンス計測値と、入力された体重計測値とに基づいて健康管理に有益な指針情報を提供する健康管理指針アドバイス装置において、前記インピーダンス計測手段によるインピーダンス計測値に基づいて、前記グリップ部（握部）を保持しているか否かを検出し、該検出結果に基づいて測定を開始する健康管理指針アドバイス装置。」が記載されているものと認められる。
　                                                  
(４）刊行物４：特開平７−１２６３５号公報
(４ａ）「図１には、この発明による体脂肪測定装置の全体が斜視図にして示してある。この装置の主要部は、体重測定部を備えた台部分１と、この台部分１の一方の縁部分で直立する支柱６と、この支柱６の上に設けてあり、両手用のハンドル２０，２０′を有する操作ボックス１０とで構成されている。」（第２頁右欄下から７〜２行）、
(４ｂ）「【０００８】台部分１には体重計測部２があり、この体重計測部２には互いに電気絶縁された両足用の二つの足載部３，３′がある。各足載部３，３′は電気絶縁材料で形成され、各々には電圧を印加するためそれぞれ導電性の電極５，５′および電流を検出するためそれぞれ導電性の電極４，４′がある。体重計測部２は台部分１に、例えばロードセルのような電子的な重量測定装置（図１には図示してない）を介して機械的に連結している。」（第２頁右欄最下行〜第３頁左欄第８行）、
(４ｃ）「これ等のハンドル２０，２０′の本体はプラスチック等の絶縁材料で形成され、各ハンドル２０，２０′の表面には軸方向に２分割されたそれぞれ各一つの電圧印加用電極２５，２５′と各一つの電流検出用の電極２４，２４′が設けてある。」（第３頁左欄第２５〜２９行）、
(４ｄ）「【００１２】図２に、操作ボックス１０内の電気ユニットと関連する検出部、操作装置および表示装置の電気接続を示す。既に説明した表示部１５，キーボード１２やスイッチ類１４および印字部１６は、ＲＯＭ４０，ＲＡＭ４２およびマイクロプロセッサ４４とバス５２を介して接続している。」（第３頁右欄第２〜７行）、
(４ｅ）「【００１３】バス５２には、その外、体重検出部５０（例えばロードセル）から出力された検出信号を処理する体重変換用の電子回路４９も接続している。」（第３頁右欄第１５〜１７行）、
(４ｆ）「この表から分かるように、上半身（両手の間）、下半身（両足の間）および全身（左手と右足の間あるいは右手と左足の間）のインピーダンス測定が行える。」（第４頁表下左欄第１〜３行）、
(４ｇ）「【発明の効果】この発明による体脂肪測定装置の利点は、特に測定者の身体の異なった局部部位に対するインピーダンスを測定でき、得られた体脂肪量の結果に基づきより適切な美容処置あるいは医療処置を施すことができる点にある。また、測定には同時に体重も測定され、測定時点での体重データを使用しているため、より正確な体脂肪の測定ができる。」（第４頁右欄下から１３〜７行）、
が、それぞれ表および図面と共に記載されている。
　これらの記載から刊行物４には「身体に電流を印加してインピーダンスを計測するインピーダンス計測手段と、体重を計測するための体重計測手段と、を備え、前記インピーダンス計測手段は、少なくともいずれか一方の手を載置するハンドルに設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する体脂肪測定装置。」が記載されているものと認められる。
　
(５）刊行物５：特開平４−２１８７２９号公報
　自動血圧計付電子体重計１が記載されており、電子体重計２は、入出力装置を支持するポールを秤量台上に固定する場合には、その重量を風袋として差し引く旨の技術的事項が記載されている。
　
４．対比・判断
(１）請求項１について
　本件請求項１に係る発明（以下、「本件発明１」という。）と引用発明１とを対比すると、両者は、以下の一致点、および相違点を有する。
一致点：身体に電流を印加してインピーダンスを計測するインピーダンス計測手段と、体重を計測するための体重計測手段と、を備え、前記インピーダンス計測手段は、少なくともいずれか一方の手で保持する保持部に設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する健康管理指針アドバイス装置
相違点(a）：体重計測値が、本件発明１では、装置に組み込まれた体重計測手段から得られのに対し、引用発明１では体重計測手段で測定された体重値を入力手段を介して入力する点。
相違点(b）：本件発明では、保持部を保持しているか否かを検出し、その検出結果に基づいて体重計測手段の計測値を補正するのに対して、引用発明１ではそうはなっていない点。
　
　前記相違点について検討する。
　相違点(a）について、
　健康管理指針アドバイス装置において、体重計測値をその装置に組み込まれた体重計測手段から得ることは周知（例えば、上記刊行物４、特開昭６２−１６９０２３号公報等参照）であって、引用発明１においても体重計測手段を装置に組み込まれたものとして相違点(a）に係る構成とすることは当業者が適宜なし得たことである。そして、重量計測の技術分野においては風袋重量を考慮して計測値を補正することは常套手段であり、体重計測に際しても風袋分の重量を補正して出力することは適宜行われている（例えば、刊行物２、５等参照）。
　相違点(b）について、
　刊行物３には、本体部が保持されているか否かを検出してから各種の測定処理が実行される健康管理指針アドバイス装置が記載されている。このことから、引用発明１において、本体装置の保持部が保持されたことを検出してから体重値の補正動作を含む体重計測を行ない、さらに各種の測定処理を実行するように構成することは当業者が容易になし得たことである。
　よって、本件発明１は、刊行物１に記載の健康管理指針アドバイス装置に、刊行物３に記載の技術および前記周知技術を適用して当業者が容易に発明できたものである。
　
(２）請求項２について
　本件請求項２に係る発明（以下、「本件発明２」という。）と引用発明１とを対比すると、両者は本件発明１と引用発明１における一致点及び相違点に加えて、以下の点で相違する。
相違点(c) ：本件発明２では、インピーダンス計測手段によるインピーダンス計測値に基づいて、保持部を保持しているか否かを検出するのに対し、引用発明１ではそうはなっていない点。
　そこで、相違点(c) について検討すると、刊行物３には、前記インピーダンス計測手段によるインピーダンス計測値に基づいて、前記保持部を保持しているか否かを検出し、該検出結果に基づいて測定を開始することが記載されており、前記相違点(c) に係る構成は、刊行物３の前記技術を用いることにより容易になし得たことである。
　
(３）請求項３について
　本件請求項３に係る発明（以下、「本件発明３」という。）と刊行物４に記載の発明（以下、「引用発明４」という。）とを対比すると、引用発明４における「体脂肪測定装置」も「健康管理指針アドバイス装置」の一種であるから、両者は、以下の一致点、および相違点を有する。
一致点：身体に電流を印加してインピーダンスを計測するインピーダンス計測手段と、体重を計測するための体重計測手段と、を備え、前記インピーダンス計測手段は、少なくともいずれか一方の手を載置する載置部に設けられた電極と、いずれか一方の足から荷重を受ける前記体重計測手段の荷重支持部に設けられた電極とを有し、前記インピーダンス計測手段によるインピーダンス計測値と、前記体重計測手段による体重計測値とに基づいて健康管理に有益な指針情報を提供する健康管理指針アドバイス装置
相違点(d）：本件発明３では、載置部に手を載置しているか否かを検出し、その検出結果に基づいて体重計測手段の計測値を補正するのに対して、引用発明４ではそうはなっていない点。
　そこで、相違点(d) について検討すると、
　重量計測の技術分野においては風袋重量を考慮して計測値を補正することは常套手段であり、体重計測に際しても風袋分の重量を補正して出力することは適宜行われている（例えば、刊行物２、５等参照）。
　そして、刊行物３には、本体部が保持されているか否かを検出してから各種の測定処理が実行される健康管理指針アドバイス装置が記載されている。このことから、引用発明４において、載置部に手が載置されたことを検出してから体重値の補正動作を含む体重計測を行ない、さらに各種の測定処理を実行するように構成することは当業者が容易になし得たことである。
　よって、本件発明３は、刊行物４に記載のものに、刊行物３に記載の技術および前記周知技術を適用して当業者が容易に発明できたものである。
　
(４）請求項４について
　本件請求項４に係る発明（以下、「本件発明４」という。）と引用発明４とを対比すると、両者は本件発明３と引用発明４における一致点及び相違点に加えて、以下の点で相違する。
相違点(e) ：本件発明４では、インピーダンス計測手段によるインピーダンス計測値に基づいて、載置部に手を載置しているか否かを検出するのに対し、引用発明４ではそうはなっていない点。
　そこで、相違点(e) について検討すると、
　刊行物３には、前記インピーダンス計測手段によるインピーダンス計測値に基づいて、前記保持部を保持しているか否かを検出し、該検出結果に基づいて測定を開始することが記載されており、前記相違点(e) に係る構成は、刊行物３の前記技術を用いることにより容易になし得たことである。
　
(５）請求項５について
　本件請求項５に係る発明（以下、「本件発明５」という。）と引用発明２とを対比すると、両者は、以下の一致点、および相違点を有する。
一致点：身体に電流を印加してインピーダンスを計測するインピーダンス計測手段と、体重を計測するための体重計測手段と、を備え、前記インピーダンス計測手段によるインピーダンス計測値と、前記体重計測手段による体重計測値とに基づいて健康管理に有益な指針情報を提供する健康管理指針アドバイス装置において、該健康管理指針アドバイス装置は、被検者がその上に載って体重計測を行う基台部と、該基台部から独立したユニットとからなり、前記インピーダンス計測手段を構成する電極の少なくとも一つが前記ユニットに設けられている健康管理指針アドバイス装置。
相違点(f）：体重計測値が、本件発明５では、装置に組み込まれた体重計測手段から得られのに対し、引用発明２では体重計測手段で測定された体重値を入力手段を介して入力する点。
相違点(g）：本件発明５では、ユニットと被検者との接触の有無に基づいて、前記体重計測手段による体重計測値から前記ユニットによる影響を補正するのに対して、引用発明２ではそうはなっていない点。
　
　前記相違点について検討する。
　相違点(f）について、
　健康管理指針アドバイス装置において、体重計測値をその装置に組み込まれた体重計測手段から得ることは周知（例えば、上記刊行物４、特開昭６２−１６９０２３号公報等参照）であって、引用発明２においても体重計測手段を装置に組み込まれたものとして相違点(f）に係る構成とすることは当業者が適宜なし得たことである。そして、重量計測の技術分野においては風袋重量を考慮して計測値を補正することは常套手段であり、体重計測に際しても風袋分の重量を補正して出力することは適宜行われている（例えば、刊行物２、５等参照）。
　相違点(g）について、
　刊行物３には、本体部が保持されているか否かを検出してから各種の測定処理が実行される健康管理指針アドバイス装置が記載されている。このことから、引用発明２において、本体装置の保持部が被検者に接触されたことを検出してから体重値の補正動作を含む体重計測を行ない、さらに各種の測定処理を実行するように構成することは当業者が容易になし得たことである。
　よって、本件発明５は、刊行物１に記載の健康管理指針アドバイス装置に、刊行物３に記載の技術および前記周知技術を適用して当業者が容易に発明できたものである。
　
(６）請求項６について
　本件請求項６に係る発明（以下、「本件発明６」という。）と引用発明２とを対比すると、両者は本件発明５と引用発明２における一致点及び相違点に加えて、以下の点で相違する。
相違点(h) ：本件発明６では、基台部とユニットとを接続し信号の伝送を行なう無線通信手段を備えているのに対し、引用発明２ではこの構成を有していない点。
　そこで、相違点(h) について検討すると、
　刊行物２には、体重計において体重測定部と表示部との間で信号の送受を無線で行うものが記載されている。このことから、引用発明２における体重計６８と本体装置１０との間で信号の送受を無線で行なうようにすることは適宜なし得たことである。
　
５．むすび
　以上のとおりであるから、本件発明１ないし６は、刊行物１ないし５及び周知技術に基づいて当業者が容易に発明をすることができたものであるから、本件発明１ないし６についての特許は特許法第２９条第２項の規定に違反してされたものである。
　したがって、本件発明１ないし６についての特許は、特許法第１１３条第２号に該当し、取り消されるべきものである。
　よって、結論のとおり決定する。
【異議決定日】
平成１５年３月４日（２００３．３．４）